(57)【要約】  本発明はポータブル端末で近距離無線ネットワークの自動接続の方法及び装置に関することである。前記ポータブル端末で近距離無線ネットワークの自動接続の方法は、 アクセスポイント(ＡＰ:Ａｃｃｅｓｓ  Ｐｏｉｎｔ）登録時、前記ＡＰの位置情報を保存する過程と、前記端末の位置情報を獲得する過程と、前記端末の位置情報と前記ＡＰの位置情報を比べて通信部のアクティベーション周期を制御する過程と、前記通信部がアクティベートされる時、前記ＡＰを検索する過程と、を有する。
2013516938.tif 000002
【特許請求の範囲】
【請求項１】
ポータブル端末における近距離無線ネットワークの自動接続の方法であって、
ＡＰ登録時、前記ＡＰの位置情報を保存する過程と、
前記端末の位置情報を獲得する過程と、
前記端末の位置情報と前記ＡＰの位置情報を比べて通信部のアクティベーション周期を制御する過程と、
前記通信部がアクティベートされる時、前記ＡＰを検索する過程と、を有することを特徴とする方法。
【請求項２】
ポータブル端末における近距離無線ネットワークの自動接続の装置であって、
ＡＰ登録時、前記ＡＰの位置情報を保存する保存部と、
前記端末の位置情報を獲得する位置情報獲得部と、
前記端末の位置情報と前記ＡＰの位置情報を比べて通信部のアクティベーション周期を制御する制御部と、
前記通信部がアクティベートされる時、ＡＰを検索する通信部と、を備えることを特徴とする装置。
【請求項３】
前記端末のモーションを測定する過程と、
前記端末のモーションによって前記通信部のアクティベーション周期を制御する過程を有することを特徴とする請求項１に記載の方法。
【請求項４】
前記通信部のアクティベーション周期を制御する過程は、
前記端末とＡＰの間の距離をしきい距離と比べる過程と、
前記端末とＡＰの間の距離がしきい距離より大きい場合、前記通信部を非アクティベートせる過程と、
前記端末とＡＰの間の距離がしきい距離より小さい又は等しい場合、前記通信部をアアクティベートさせる過程と、を有することを特徴とする請求項１に記載の方法。
【請求項５】
前記端末とＡＰの間の距離に応じて通信部のスキャン周期を制御する過程を有し、
前記スキャン周期は、前記端末とＡＰの間の距離が短いほど、スキャン区間を長く設定して非スキャン区間を短く設定することを特徴とする請求項１に記載の方法。
【請求項６】
前記端末のモーションを測定する過程と、
前記端末のモーションによって前記通信部のスキャン周期を制御する過程を有することを特徴とする請求項１に記載の方法。
【請求項７】
前記端末のモーションを測定する慣性センサーを備え、
前記制御部は、前記端末のモーションによって前記通信部のアクティベーション周期を制御することを特徴とする請求項２に記載の装置。
【請求項８】
前記制御部は、前記端末とＡＰの間の距離をしきい距離と比べて前記端末とＡＰの間の距離がしきい距離より大きい場合、前記通信部を非アクティベートさせて、前記端末とＡＰの間の距離がしきい距離より小さい又は等しい場合、前記通信部をアクティベートさせることを特徴とする請求項２に記載の装置。
【請求項９】
前記制御部は、前記端末とＡＰの間の距離に応じて通信部のスキャン周期を制御して、前記端末とＡＰの間の距離が短いほど、スキャン区間を長く設定して非スキャン区間を短く設定することを特徴とする請求項２に記載の装置。
【請求項１０】
前記端末のモーションを測定する慣性センサーを備え、
前記制御部は、前記端末のモーションによって前記通信部のスキャン周期を制御することを特徴とする請求項２に記載の装置。
【請求項１１】
前記方法で前記端末のモーションによって前記通信部のアクティベーション周期を制御する過程は、前記端末のモーションの程度をしきい値と比べる過程と、前記端末のモーションの程度がしきい値より小さい又は等しい場合、前記通信部を非アクティベーションさせる過程と、前記端末のモーションの程度がしきい値より大きい場合、前記通信部をアクティベーションさせる過程と、を有し、
前記制御部は前記端末のモーションの程度をしきい値と比べて、前記端末のモーションの程度がしきい値段より小さい又は等しい場合、前記通信部を非アクティベートさせて、前記端末のモーションの程度がしきい値より大きい場合、前記通信部をアクティベートさせることを特徴とする請求項３及び請求項７いずれか１項に記載の方法及び装置。
【請求項１２】
前記方法で前記モーションの程度によって通信部のスキャン周期を制御する過程は、前記端末のモーションの程度が小さいほど、スキャン区間を短く設定して非スキャン区間を長く設定する過程を有し、
前記制御部は、前記端末のモーションの程度が小さいほど、スキャン区間を短く設定して非スキャン区間を長く設定することを特徴とする請求項６及び請求項１０いずれか１項に記載の方法及び装置。
【請求項１３】
前記方法は、前記端末とＡＰの間の距離及び端末のモーションの中で少なくとも一つを利用して前記端末の位置情報を獲得する周期と端末のモーションを測定する周期の中で少なくとも一つを制御する過程を有し、
前記制御部は、前記端末とＡＰの間の距離及び端末のモーションの程度の中で少なくとも一つを利用して前記位置情報獲得部の位置情報獲得周期と慣性センサーのモーション測定周期の中で少なくとも一つを制御することを特徴とする請求項３及び請求項７いずれか１項に記載の方法及び装置。
【請求項１４】
前記位置情報は、位置座標及びセル識別子の中でいずれか一つであることを特徴とする請求項１及び請求項２いずれか１項に記載の方法及び装置。
【請求項１５】
前記方法は、登録されたＡＰが検索される時、検索されたＡＰとの接続の手順を実行する過程と、前記ＡＰに対応する前記登録されたイベントを実行する過程を有し、
前記通信部は、登録されたＡＰが検索される時、検索されたＡＰとの接続の手順を実行して、前記制御部は、前記ＡＰに対応する前記登録されたイベントを実行することを特徴とする請求項１及び請求項２いずれか１項に記載の方法及び装置。
【発明の詳細な説明】
【技術分野】
【０００１】
本発明は近距離無線ネットワークをサポートするポータブル端末に関する。特に、ユーザーの操作なしに近距離無線ネットワークを自動的に接続する方法及び装置に関する。
【背景技術】
【０００２】
近年にホームネットワークに対する関心が急増し、セルラーネットワークと近距離無線ネットワークの利用を可能にするポータブル端末が研究開発されている。前記近距離無線通信技術では無線ＬＡＮと無線ＰＡＮを例にあげることができる。
【０００３】
一般的に、セルラーネットワークと前記近距離無線ネットワークをサポートするポータブル端末は前記近距離無線ネットワークのＡＰ（Ａｃｃｅｓｓ  Ｐｏｉｎｔ）に自分を登録する手順を実行することで、前記セルラーネットワークで提供するサービスと等しいサービスの提供を受けることができる。
【０００４】
従来のポータブル端末では前記近距離無線ネットワークをサポートする通信モジュールの電源がオンになると、接続しようとするサービスセットＩＤ（ＳＳＩＤ）に対応するＡＰが検索されるまで周辺ＡＰから送信されるビーコン信号を受信して、前記接続しようとするＡＰが検索されると、該当のＡＰとの接続の手順を実行してサービスの提供を受ける。すなわち、前記近距離無線ネットワークをサポートする通信モジュールの電源がオン（ＯＮ）になっている状態で該当のＡＰが検索されなければ、前記ポータブル端末は該当ＡＰを検索するための動作を継続的に実行するようになる。このような動作は周辺に該当ＡＰが存在しない場合には、前記ポータブル端末の電力を浪費する原因になる。したがって、従来ではＡＰ接続の必要によってユーザーが前記近距離無線ネットワークをサポートする通信モジュールをオン/オフ（ＯＮ/ＯＦＦ）できるようにしている。
【０００５】
しかし、このようなユーザーの直接操作の方法はユーザーの不便をもたらすだけでなく、前記ユーザーの不注意によって前記近距離通信モジュールのオン/オフを制御しない場合、必要なサービスの提供を受けることができなくなるとか電力が無駄使いされる問題点が発生する可能性がある。
【発明の概要】
【発明が解決しようとする課題】
【０００６】
本発明では、前述のような問題点を鑑みて、本発明の目的はポータブル端末でユーザーの操作なしに、近距離無線ネットワークを自動的に接続する方法及び装置を提供することにある。
【０００７】
本発明の他の目的は、ポータブル端末で位置情報を利用して近距離無線ネットワークサポートモジュールの電源オン/オフを制御する方法及び装置を提供することにある。
【０００８】
本発明のさらなる他の目的は、ポータブル端末でモーション情報を利用して近距離無線ネットワークサポートモジュールの電源オン/オフを制御する方法及び装置を提供することにある。
【０００９】
本発明のさらなる他の目的は、ポータブル端末で位置情報を利用して近距離無線ネットワークの検索周期を制御する方法及び装置を提供することにある。
【００１０】
本発明のさらなる他の目的は、ポータブル端末でモーション情報を利用して近距離無線ネットワークの検索周期を制御する方法及び装置を提供することにある。
【００１１】
本発明のさらなる他の目的は、ポータブル端末で近距離無線ネットワークを自動的に接続して、あらかじめ設定されたイベントを実行するための方法及び装置を提供することにある。
【課題を解決するための手段】
【００１２】
前述の目的を達成するための本発明の第１見地によると、ポータブル端末で近距離無線ネットワークの自動接続の方法は、アクセスポイント(ＡＰ:Ａｃｃｅｓｓ  Ｐｏｉｎｔ）登録時、前記ＡＰの位置情報を保存する過程と、前記端末の位置情報を獲得する過程と、前記端末の位置情報と前記ＡＰの位置情報を比べて通信部のアクティベーション周期を制御する過程と、前記通信部がアクティベートされる時、前記ＡＰを検索する過程とを有することを特徴とする。
【００１３】
前述の目的を達成するための本発明の第２見地によると、ポータブル端末で近距離無線ネットワークの自動接続の装置は、ＡＰ登録時、前記ＡＰの位置情報を保存する保存部と、前記端末の位置情報を獲得する位置情報獲得部と、前記端末の位置情報と前記ＡＰの位置情報を比べて通信部のアクティベーション周期を制御する制御部と、前記通信部がアクティベートされる時、ＡＰを検索する通信部と、を備えることを特徴とする。
【図面の簡単な説明】
【００１４】
【図１】本発明によるポータブル端末のＡＰ検索周期を図示する図面である。
【図２】本発明の実施形態によるポータブル端末で位置に応じてＡＰ検索の実行の可否を示す図面である。
【図３】本発明によるポータブル端末のブロック構成を図示する図面である。
【図４】本発明の実施形態によるポータブル端末で初期のＡＰ登録手順を図示する図面である。
【図５】本発明の実施形態によるポータブル端末でＡＰ検索手順を図示する図面である。
【図６】本発明の実施形態によるポータブル端末で位置情報を利用して近距離無線ネットワークサポートモジュールの電源オン/オフ及びＡＰ検索周期を制御する手順を図示する図面である。
【図７】本発明の実施形態によるポータブル端末でモーション情報を利用して近距離無線ネットワークサポートモジュールの電源オン/オフ及びＡＰ検索周期を制御する手順を図示する図面である。
【発明を実施するための形態】
【００１５】
以下、本発明の好ましい実施形態を添付した図面を参照して説明する。また本発明を説明することにおいて、関連する公知機能あるいは構成に対する具体的な説明が本発明の趣旨を不明瞭にする可能性があると判断された場合、その詳細な説明は略する。
【００１６】
以下、本発明ではポータブル端末で位置情報及びモーション情報を利用して近距離無線ネットワークサポートモジュールの電源オン/オフ及びＡＰ検索周期を制御するための技術について説明する。以下、本発明で近距離無線ネットワークは無線ＬＡＮ（ＷＬＡＮ：Ｗｉｒｅｌｅｓｓ  Ｌｏｃａｌ  Ａｒｅａ  Ｎｅｔｗｏｒｋ）を例に説明して、無線ＰＡＮ（ＷＰＡＮ：Ｗｉｒｅｌｅｓｓ  Ｐｅｒｓｏｎａｌ  Ａｒｅａ  Ｎｅｔｗｏｒｋ）にも等しい方式で適用することができる。
【００１７】
図１(a)及び１(b)は本発明の実施形態によるポータブル端末のＡＰ検索周期を図示している。
【００１８】
前記図１(a)及び１(b)を参照すると、まず近距離無線ネットワークのＡＰ１００は周期的にビーコン信号を送信する（１１０段階）。
【００１９】
前記端末１０２は周期的に位置情報やモーション情報を利用して無線ＬＡＮモジュールの電源オン/オフ及びＡＰ検索周期を決定し、自分が登録されたＡＰ１００の周辺に位置するかどうかを検査する。前記端末１０２は前記ＡＰ１００の周辺に位置するようになると、前記無線ＬＡＮモジュールの電源をオンさせて前記決定されたＡＰ検索周期によってスリープ（Ｓｌｅｅｐ）状態とリスン（Ｌｉｓｔｅｎ）状態を周期的に繰り返す。ここで、ＡＰ検索周期は前記スリープ状態とリスン状態を維持あるいは転換する時間区間を意味して、前記スリープ状態は前記近距離無線ネットワークサポートモジュール（以下、‘無線ＬＡＮモジュール’と称する）が一定量以下の電力を使用することで、信号の送受信が不可能な状態を意味し、前記リスン状態は前記無線ＬＡＮモジュールが一定量以上の電力を使用することで、信号の送受信が可能な状態を意味する。
【００２０】
以後、前記端末１０２は前記ＡＰ１００のサービス領域内に位置するようになると、前記リスン状態で前記ＡＰ１００のビーコン信号を受信し（１１２段階）、前記ＡＰ１００との接続の手順を実行する（１１４段階）。以後、前記端末１０２は無線ＬＡＮをベースに前記設定されたイベントを検索した後、検索されたイベントに対応する機能を自動的に実行することができる。
【００２１】
図２(a)及び２(b)は本発明の実施形態によるポータブル端末で、位置に応じてＡＰ検索の実行の可否を示している。
【００２２】
前記図２(a)及び２(b)の図示のように、端末２００はＧＰＳシステム２１０から自分の位置情報２１２を獲得して前記登録されたＡＰ２２０、２２２との距離を測定し、測定された距離に応じて無線ＬＡＮモジュールの電源オン/オフ及びＡＰ検索周期を決めることができる。
【００２３】
前記端末２００は図２Ａの図示のように、前記登録されたＡＰ２２０、２２２との距離がしきい距離以上に測定された場合には無線ＬＡＮモジュールの電源をオフさせる。 
【００２４】
また、前記端末２００は図２ｂの図示のように、前記登録されたＡＰ２２０、２２２の中で少なくとも一つのＡＰ２２０との距離がしきい距離以下に測定された場合には無線ＬＡＮモジュールの電源をオンさせて、ＡＰ検索周期を決定してＡＰ検索を実行する。この時、前記端末２００は前記ＡＰ２２０との測定距離が短いほど、スリープ状態で動作する時間を短く設定し、リスン状態で動作する時間を長く設定する。反対に、前記ＡＰ２２０との測定距離が長いほど、スリープ状態で動作する時間を長く設定し、リスン状態で動作する時間を短く設定することができる。勿論、ここにおいて前記リスン状態で動作する時間区間はＡＰのビーコンを逃さないように、ビーコン送信周期の数倍に設定することもできる。
【００２５】
また、前記端末２００は前記リスン状態で前記ＡＰ２２０、２２２の中でしきい距離よりも内側に位置していると判断されたＡＰ２２０のアドレスやＩＤに対してだけスキャンを試みることができる。 
【００２６】
また、前記端末２００は前記ＡＰ２２０との距離がしきい距離以下の場合、モーションの程度を考慮して前記無線ＬＡＮモジュールの電源オン/オフとＡＰ検索周期を決めることもできる。例えば、前記端末２００は前記ＡＰ２２０との距離がしきい距離以下の場合でも、前記端末２００のモーションがない間にはビーコンをスキャンしないように前記無線ＬＡＮモジュールの電源をオフさせたりスリープ状態で動作することができる。
【００２７】
それでは、前述した説明を基づいて下記で図３ないし図７を参照して前記ポータブル端末の構成及び詳細な動作について説明する。
【００２８】
図３は本発明によるポータブル端末のブロック構成を図示している。
【００２９】
前記図３を参照すると、前記ポータブル端末は制御部３００、ＧＰＳ（Ｇｌｏｂａｌ  Ｐｏｓｉｔｉｏｎｉｎｇ  Ｓｙｓｔｅｍ：衛星位置確認システム）受信機３１０、モーション感知センサー３２０、通信モジュール３３０及び保存部３４０を備るように構成されて、前記制御部３００は無線ＬＡＮモジュール制御部３０２を備え、前記通信モジュール３３０はセルラーモジュール３３２と無線ＬＡＮモジュール３３４を備えるように構成される。
【００３０】
前記制御部３００は前記ポータブル端末の全般的な動作を制御及び処理し、本発明に基づき前記無線ＬＡＮモジュール制御部３０２を備えることにより、位置情報及びモーション情報を利用して無線ＬＡＮに自動的に接続するための機能を制御及び処理する。
【００３１】
前記無線ＬＡＮモジュール制御部３０２はＡＰ初期登録時、前記ＡＰのＭＡＣアドレスを前記保存部３４０に保存して、初期登録時の位置情報を前記ＡＰの位置情報として決定して前記保存部３４０に保存する。
【００３２】
前記無線ＬＡＮモジュール制御部３０２は、前記ＧＰＳ受信機３１０から周期的に現在の位置情報を獲得した後、現在の位置情報と前記ＡＰの位置情報を利用して前記端末と前記登録されたＡＰとの距離を測定し、測定された距離に応じて前記無線ＬＡＮモジュールの電源オン/オフ及びＡＰ検索周期を決める。この時、前記無線ＬＡＮモジュール制御部３０２は前記端末とＡＰとの測定された距離がしきい距離以上の場合、前記無線ＬＡＮモジュール３３４の電源オフを決定し、しきい距離以下の場合、前記無線ＬＡＮモジュール３３４の電源のオンを決定ことができる。また、前記無線ＬＡＮモジュール制御部３０２は前記端末とＡＰとの測定された距離がしきい距離以下の場合、測定された距離が短いほど前記無線ＬＡＮモジュール３３４のスリープ区間を短く決定し、リスン区間を長く決めることができるし、反対に、測定された距離が長いほど前記無線ＬＡＮモジュール３３４のスリープ区間を長く決定し、リスン区間を短く決めることができる。
【００３３】
また、前記無線ＬＡＮモジュール制御部３０２は前記モーション感知センサー３２０から獲得される端末のモーション情報によって前記無線ＬＡＮモジュール３３４の電源オン/オフ及びＡＰ検索周期を決める。すなわち、前記無線ＬＡＮモジュール制御部３０２は前記端末のモーションがない間には前記無線ＬＡＮモジュール３３４が電源オフされるなどスリープ状態を維持するように決めることができる。例えば、机の上に置かれている端末のようにモーションがない端末の場合、周期的にＡＰ検索を実行する必要がないので、無線ＬＡＮモジュール３３４の電源をオフさせるなどスリープ状態に維持することができる。また、前記無線ＬＡＮモジュール制御部３０２は前記端末のモーションがある場合、前記無線ＬＡＮモジュール３３４の電源オンを決める。この時、前記無線ＬＡＮモジュール制御部３０２は前記端末のモーションの程度がしきい値以上の場合、スリープ区間を短く決定してリスン区間を長く決定し、反対に、前記端末のモーションの程度がしきい値以下の場合、前記無線ＬＡＮモジュール３３４のスリープ区間を長く決定してリスン区間を短く決めることができる。
【００３４】
前記無線ＬＡＮモジュール制御部３０２は事業者やユーザーの設定によって前記位置情報とモーション情報を考慮して前記無線ＬＡＮモジュールの電源オン/オフ及びＡＰ検索周期を決めることもできるし、前記位置情報とモーション情報の中でいずれかのみを考慮して前記無線ＬＡＮモジュールの電源オン/オフ及びＡＰ検索周期を決めることもできる。
【００３５】
また、前記無線ＬＡＮモジュール制御部３０２は前記端末の位置情報やモーション情報によって前記位置情報やモーション情報を獲得する周期を変更することができる。
【００３６】
前記ＧＰＳ受信機３１０はＧＰＳ衛星から送信された電波を受信して前記ポータブル端末の位置を示す位置座標を獲得する。前記ＧＰＳ受信機３１０は前記制御部３００の制御によって所定の周期ごとに前記位置情報を獲得して前記制御部３００に提供する。
【００３７】
前記モーション感知センサー３２０は前記端末の慣性力を検出して加速度、移動速度、移動方向及び移動距離などのようなモーション情報を提供する。ここで、前記モーション感知センサー３２０は慣性センサーを含んでいる意味で、加速度計（Ａｃｃｅｌｅｒｏｍｅｔｅｒ）と角速度計（Ｇｙｒｏｓｃｏｐｅ）を例にあげることができる。
【００３８】
前記通信モジュール３３０は、セルラーモジュール３３２と無線ＬＡＮモジュール３３４を含んでセルラーネットワーク及び無線ＬＡＮネットワークと送受信される信号を処理する。特に、前記通信モジュール３３０は前記制御部３００の制御によって前記無線ＬＡＮモジュール３３４を通じて前記無線ＬＡＮネットワークのＡＰからビーコン信号をスキャンする。前記無線ＬＡＮモジュール３３４は、前記制御部３００の制御によって電源がオン/オフされてアクティブあるいは非アクティブになって、電源オンの時にＡＰ検索周期によってスリープ状態とリスン状態を転換して前記登録されたＡＰのビーコン信号をスキャンするための機能を実行する。ここで、前記セルラーモジュール３３２は前記無線ＬＡＮモジュール３３４の電源オンの間にスリープ状態で動作する。
【００３９】
前記保存部３４０は前記ポータブル端末の全般的な動作のための各種プログラム及びデータを保存して、本発明によってＡＰのＭＡＣアドレス及び位置情報を保存する。また、前記保存部３４０は位置情報やモーション情報によるＡＰ検索周期を示すテーブルを保存することができる。
【００４０】
図４は本発明の実施形態によるポータブル端末で初期ＡＰ登録の手順を図示している。
【００４１】
前記図４を参照すると、前記端末は４０１段階で初期ＡＰ登録の手順が実行されるのかを検査する。前記初期ＡＰ登録の手順が実行されると、前記端末は４０３段階で前記ＡＰからＭＡＣアドレスを獲得して保存し、４０５段階で現在の位置情報を獲得する。
【００４２】
以後、前記端末は４０７段階で前記獲得された現在の位置情報を前記ＡＰの位置情報として決定して保存し、本発明によるアルゴリズムを終了する。
【００４３】
図５は本発明の実施形態によるポータブル端末でＡＰ検索手順を図示している。
【００４４】
前記図５を参照すると、前記端末は５０１段階で位置情報やモーション情報を利用して無線ＬＡＮモジュールの電源オン/オフ及びスリープ/リスン区間を示すＡＰ検索周期を決める。ここで、前記位置情報やモーション情報を利用して無線ＬＡＮモジュールの電源オン/オフ及びＡＰ検索周期を決める過程は下記の図６及び図７で詳しく説明する。
【００４５】
前記端末は５０３段階で前記の決定された無線ＬＡＮモジュールの電源オン/オフ及びＡＰ検索周期によって無線ＬＡＮモジュールを動作中に前記無線ＬＡＮモジュールがリスン状態になるのかを検査する。
【００４６】
前記無線ＬＡＮモジュールがリスン状態になると、前記端末は５０５段階に進行して周辺ＡＰから送信されたビーコンをスキャンしてＡＰを検索し、５０７段階で検索されたＡＰのＭＡＣアドレスと前記保存されたＡＰのＭＡＣアドレスが等しいかの可否を比べる。前記検索されたＡＰのＭＡＣアドレスと前記保存されたＡＰのＭＡＣアドレスが同一でない場合、前記端末は前記検索されたＡＰに接続できないことを判断して前記５０１段階に戻る。
【００４７】
前記検索されたＡＰのＭＡＣアドレスと前記保存されたＡＰのＭＡＣアドレスが等しい場合、前記端末は５０９段階に進行して前記検索されたＡＰとの接続の手順を実行する。
【００４８】
以後、前記端末は５１１段階であらかじめ設定されたイベントを検索して実行し、５１３段階に進行して前記ＡＰとの接続が終了されるのかを検査する。前記ＡＰとの接続を終了しない時、前記端末は５１１段階に戻って、以下の段階を再実行する。ここで、前記ＡＰを通じて通信を実行することは当然である。
【００４９】
一方、前記ＡＰとの接続が終了される時、前記５０１段階に戻って、以下の段階を再実行する。ここで、前記ＡＰとの接続終了はユーザーの操作による接続終了と前記ＡＰから端末の距離が遠くなって接続が自動的に終了される場合を含む意味である。
【００５０】
図６は本発明の実施形態によるポータブル端末で位置情報を利用して近距離無線ネットワークサポートモジュールの電源オン/オフ及びＡＰ検索周期を制御する手順を図示している。
【００５１】
前記図６を参照すると、前記端末は６０１段階で前記端末の現在の位置情報を獲得し、６０３段階に進行して前記現在の位置情報と前記保存されたＡＰの位置情報を比べる。以後、前記端末は６０５段階で、前記の比較結果、前記端末とＡＰの間の距離がしきい距離より小さいか等しいかの可否を検査する。
【００５２】
もし、前記端末とＡＰの間の距離がしきい距離より小さい又は等しい場合、前記端末は６０７段階に進行して端末とＡＰの間の距離に応じてスリープ/リスン区間を示すＡＰ検索周期を決定し、６１１段階で無線ＬＡＮモジュールの電源オンを決めた後、下記６１３段階に進行する。例えば、前記端末は前記端末とＡＰの間の距離が短いほど、前記無線ＬＡＮモジュールのスリープ区間を短くリスン区間を長く決定し、反対に、前記端末とＡＰの間の距離が長いほど、前記無線ＬＡＮモジュールのスリープ区間を長くリスン区間を短く決めることができる。
【００５３】
一方、前記端末とＡＰの間の距離がしきい距離より大きい場合、６０９段階に進行して無線ＬＡＮモジュールの電源オフを決定し、下記６１３段階に進行する。
【００５４】
その後、前記端末は６１３段階で前記端末とＡＰの間の距離に応じて位置情報獲得タイマーを設定する。例えば、前記端末とＡＰの間の距離が長いほど前記位置情報獲得タイマーを長く設定し、前記端末とＡＰの間の距離が短いほど前記位置情報獲得タイマーを短く設定することができる。
【００５５】
その後、前記端末は６１５段階で前記設定された位置情報獲得タイマーを動作させて満了するのかの可否を検査する。前記タイマーが満了する時、前記端末は前記６０１段階に戻って以下の段階を再実行する。
【００５６】
図７は本発明の実施形態によるポータブル端末でモーション情報を利用して近距離無線ネットワークサポートモジュールの電源オン/オフ及びＡＰ検索周期を制御する手順を図示している。
【００５７】
前記図７を参照すると、前記端末は７０１段階でモーション感知センサーを利用して前記端末のモーションを感知し、７０３段階で前記端末のモーションの程度をしきい値と比べてしきい値より大きいか等しいかの可否を検査する。
【００５８】
もし、前記端末のモーションの程度がしきい値より大きい又は等しい場合、前記端末は７０５段階に進行して無線ＬＡＮモジュールの電源オンを決定し、ＡＰ検索周期を決めた後、下記７０９段階に進行する。この時、前記端末は前記端末のモーションの程度が大きいほどスリープ区間を短くリスン区間を長く決定し、反対に前記端末のモーションの程度が小さいほどスリープ区間を長くリスン区間を短く決めることができる。
【００５９】
一方、前記端末のモーションの程度がしきい値より小さい場合、前記端末は７０７段階に進行して無線ＬＡＮモジュールの電源オフやスリープ状態維持を決めた後、下記７０９段階に進行する。これは、机の上に置かれている端末のようにモーションがない端末の場合、周期的にＡＰ検索を実行する必要がないからである。
【００６０】
その後、前記端末は７０９段階で前記端末のモーションの程度によってモーション感知タイマーを設定する。例えば、前記端末が動く場合は前記モーション感知タイマーを短く設定し、前記端末が動かない場合は前記モーション感知タイマーを長く設定することができる。
【００６１】
その後、前記端末は７１１段階で前記設定されたモーション感知タイマーを動作させて満了するのかの可否を検査する。前記タイマーが満了する時、前記端末は前記７０１段階に戻って以下の段階を再実行する。
【００６２】
前述の説明では、端末がＧＰＳシステムから位置情報を獲得してＡＰとの距離を判断したが、セルラーネットワークの基地局からセルＩＤを獲得して前記ＡＰとの距離を判断するなどＡＰに接続可能な位置なのかの可否を判断して前記無線ＬＡＮモジュールの電源オン/オフ及びＡＰ検索周期を設定することもできる。例えば、前記登録されたＡＰに対応するセルＩＤがＡ、Ｂの場合、前記端末はセルラーネットワークの基地局からＡあるいはＢというセルＩＤが獲得された場合に前記ＡＰに接続可能な位置と判断して前記無線ＬＡＮモジュールの電源をオンさせて、それによるＡＰ検索周期を決めることができる。
【００６３】
また、前述の説明で、前記端末の位置情報を所定の周期ごとに獲得するための位置獲得タイマーは前記モーション感知センサーによって測定されたモーションの程度によって再設定することもできる。例えば、前記端末が動かない又はゆっくりと動く場合、前記位置獲得タイマーを長く設定することができる。反対に、前述の説明で位置情報によって前記モーション感知タイマーを再設定することもできる。例えば、前記端末とＡＰの間の距離がしきい距離以上の場合、前記モーション感知タイマーを長く設定することができる。これによって、前記端末でＧＰＳ受信機やモーション感知センサーがオン/オフされるなど動作することによって消耗する電源を節約することができる。
【００６４】
また、前述の説明では端末の位置情報及びモーション情報を利用して無線ＬＡＮモジュールの電源オン/オフ及びＡＰ検索周期を決めているが、前記無線ＬＡＮモジュールの電源オン/オフ及びＡＰ検索周期の決定の時、前記端末の電圧の残量を考慮することもできる。
【００６５】
また、本発明では前述のように端末が無線ＬＡＮに自動的に接続することで、前記無線ＬＡＮをベースに、あらかじめ設定されたイベントを実行して多様なサービスを提供することができる。例えば、ユーザーが家や会社の近くに位置した場合、前記端末は前記無線ＬＡＮを自動的に接続して前記端末の内部に記録されているＳＭＳ、写真、通話記録、ＧＰＳ移動経路などのような記録を周辺機器へ送ってバックアップすることができるし、ＲＳＳを自動的に収集することができるし、ＶｏＩＰへの自動転換を実行することができる。ここで、前記ＲＳＳはニュースやブログサイトで用いるコンテンツを意味する。また、ユーザーが家や会社近くに位置するようになると、前記端末が前記無線ＬＡＮに自動的に接続を実行して前記家や会社内の電子機器（例: ボイラー、エアコン、電灯、コンピューター及びＴＶ）が前記設定された動作（例：電源オン）を実行して、前記ユーザーが家や会社で遠く離れた所に位置するようになると、前記端末と無線ＬＡＮの接続が解除されて前記電子機器（例:ボイラー、エアコン、電灯、コンピューター及びＴＶ）が前記設定された動作（例：電源オフ）を実行することもできる。
【００６６】
また、前述のように無線ＬＡＮの自動接続機能を通じて前記端末が位置する場所のコンピューターやＴＶでメッセンジャーを自動ログインしたり電話を受信するようにできるし、前記コンピューターやＴＶで前記端末への電話や文字の受信可否を知らせてくれる、又は前記端末のバッテリーの状態を知らせてくれることもできる。また、前記端末が無線ＬＡＮに自動接続すると、前記端末を通じて周辺の電子機器に対応するリモコンの通知音を発生させてユーザーが前記リモコン簡単に見つけることができるようにできるし、前記端末が周辺にある場合にだけ、インターネット金融決済ができるようにしてセキュリティを強化させることもできる。
【００６７】
本発明では、ポータブル端末で位置情報及びモーション情報を利用して近距離無線ネットワークサポートモジュールの電源オン/オフ及びＡＰ検索周期を制御することで、登録されたＡＰから遠く離れた所に位置している場合は無線ＬＡＮを検索しないで、前記登録されたＡＰの周辺に位置している場合には無線ＬＡＮを自動的に接続して無線ＬＡＮモジュールを直接オン/オフさせなければならない不便さを無くすことができる。これによりユーザーはいつも前記ＡＰに接続しているかのように感じる效果を得ることができる。
【００６８】
一方、本発明の詳細な説明では具体的な実施形態に関して説明したが、本発明の範囲から脱しない限度内でさまざまな変形が可能である。だから本発明の範囲は説明された実施形態に限って決まってはならず、後述する特許請求の範囲と、当該特許請求の範囲と均等なものとよって決まらなければならない。
【符号の説明】
【００６９】
１００  アクセスポイント
１０２  端末
２００  端末２１０  ＧＰＳシステム
２２０  アクセスポイント
２２２  アクセスポイント
３００  制御部
３０２  無線ＬＡＮモジュール制御部
３１０  ＧＰＳ受信機
３２０  通信モジュール
３３０  モーション感知センサ
３３２  セルラーモジュール
３３４  無線ＬＡＮモジュール
【図１】
2013516938.tif 000003
【図２】
2013516938.tif 000004
【図３】
2013516938.tif 000005
【図４】
2013516938.tif 000006
【図５】
2013516938.tif 000007
【図６】
2013516938.tif 000008
【図７】
2013516938.tif 000009
【国際調査報告】
2013516938.tif 000010
2013516938.tif 000011
2013516938.tif 000012